(57)【要約】【課題】小型でありながら、色シェーディングの問題とゴーストの問題とを解消できるカメラモジュール、並びにかかるカメラモジュールを用いた携帯端末を提供する。【解決手段】被写体光中に含まれる赤外光などの不要周波数光については、撮像レンズ１２の第３レンズＬ３の像側面１３ａに赤外線カットコートＩＲＣを形成することによりカットする。第３レンズＬ３の像側面１３ａは、像側に凸であるので、撮像素子１１の撮像面１１ａの中心に向かう光線と、撮像面１１ａの周辺に向かう光線とで，入射角を近づけることができ、従って赤外線カットコートの角度依存性を克服して、色シェーディングを有効に抑制できる。更に、撮像レンズ１２と撮像素子１１との間に、反射防止コートＡＲＣを形成した光学素子１４を配置したので、光学素子１４での反射が抑制されるため、ゴーストが有効に抑制される。又、光学素子１４で撮像素子１１を覆うことで、塵埃等が撮像面に付着することを抑制できる。【選択図】図６
2014191032.tif 000002
【特許請求の範囲】
【請求項１】
被写体像を形成する複数の撮像レンズと、
前記撮像レンズにより形成された被写体像を光電変換する撮像素子と、
前記撮像レンズと前記撮像素子との間に配置された光学素子と、を有するカメラモジュールにおいて、
前記撮像レンズを通過する、撮像面における最大像高の主光線が前記光学素子に入射した際に、その入射位置における前記光学素子の入射面の法線と前記主光線とのなす角をθ１とし、
前記撮像レンズの各々の光学面に対し、各画角の主光線の、その入射位置における前記光学面の法線と当該主光線とのなす角の最大値を各々θ２としたとき、
前記撮像レンズの光学面のうち、θ１＞θ２が成立する光学面のいずれかに赤外線カットコートを形成し、前記光学素子に反射防止コートを形成したことを特徴とするカメラモジュール。
【請求項２】
被写体像を形成する複数の撮像レンズと、
前記撮像レンズにより形成された被写体像を光電変換する撮像素子と、
前記撮像レンズと前記撮像素子との間に配置された光学素子と、を有するカメラモジュールにおいて、
前記撮像レンズの光軸上を除く有効径内を通過する、撮像面における任意の像高の主光線が、前記光学素子に入射した際に、その入射位置における前記光学素子の入射面の法線と前記主光線とのなす角をθ１とし、
撮像面における同じ像高の主光線が前記撮像レンズの光学面に入射した際に、その入射位置における前記光学面の法線と前記主光線とのなす角をθ２としたとき、
前記撮像レンズの光学面のうち、θ１＞θ２が成立する光学面のいずれかに赤外線カットコートを形成し、前記光学素子に反射防止コートを形成したことを特徴とするカメラモジュール。
【請求項３】
前記光学素子は平行平板であることを特徴とする請求項１又は２に記載のカメラモジュール。
【請求項４】
前記赤外線カットコートを形成する前記撮像レンズの光学面は、像側に凸面を向けていることを特徴とする請求項１〜３のいずれか一項に記載のカメラモジュール。
【請求項５】
前記赤外線カットコートを形成する前記撮像レンズの光学面は、物体側に凹面を向けていることを特徴とする請求項１〜３のいずれか一項に記載のカメラモジュール。
【請求項６】
前記赤外線カットコートを形成する光学面において、有効径内を通過する任意の像高の主光線の入射位置における前記光学面の法線と、前記主光線とのなす角度が２５度以下であることを特徴とする請求項１〜５のいずれかに記載のカメラモジュール。
【請求項７】
前記光学部材の両面に前記反射防止コートを形成したことを特徴とする請求項１〜６のいずれかに記載のカメラモジュール。
【請求項８】
請求項１〜７のいずれかに記載のカメラモジュールと、前記カメラモジュールで得られた被写体像を表示する表示部及び／又は前記カメラモジュールで得られた被写体像を送信する無線通信部と、を有することを特徴とする携帯端末。
【発明の詳細な説明】
【技術分野】
【０００１】
本発明は、ＣＣＤ型イメージセンサあるいはＣＭＯＳ型イメージセンサ等の撮像素子を用いた小型のカメラモジュール、並びにかかるカメラモジュールを用いた携帯端末に関する。
【背景技術】
【０００２】
近年、CCD（Charge Coupled Device）型イメージセンサあるいはCMOS（Complementary Metal Oxide Semiconductor）型イメージセンサ等の固体撮像素子を用いたカメラモジュールが搭載された携帯端末の普及の増大に伴い、より高画質の画像が得られるよう、高画素数の撮像素子を使用したカメラモジュールが搭載されたものが市場に供給されるようになってきた。又、携帯端末としては、薄形のスマートフォンなどが主流となりつつあり、これに応じてカメラモジュールの一層の小型化の要求も高まっている。
【０００３】
ところで、従来のカメラモジュールは、撮像素子と撮像レンズとの間に赤外線カットフィルタを設置し、これにより可視光以外の不要周波数光（主に赤外光）を遮断しているのが一般的である。ここで、現在主流である反射型の赤外線カットフィルタＩＦは、図１に示すように、透明ガラス基材ＳＴの表面に赤外線を反射する反射膜ＩＲＣを生成し、不要周波数光を反射させてカットする構成である。しかるに、図１において、赤外線カットフィルタＩＦの下方にある撮像素子の撮像面中心に向かう光線ＬＢ１と、撮像面周辺に向かう光線ＬＢ２の入射角の差により、赤外線カットフィルタＩＦ上の反射膜ＩＲＣを通過する光線の光路長が変化することで、その反射特性が変化し色シェーディングが発生するという問題がある。
【０００４】
かかる問題は、反射膜ＩＲＣの角度依存性によるものである。図２に示す反射膜の特性によれば、入射角０度（赤外線カットフィルタＩＦに垂直に入射）の場合に比べ、入射角２５度（赤外線カットフィルタＩＦに斜め入射）の場合、赤外線の反射範囲が短波長側にずれてしまうことによるものである。この現象を反射膜の角度依存性という。
【０００５】
これに対し、色シェーディングを抑えるために、不要周波数光を吸収する吸収剤を混入させたガラスを使用して、赤外線カットフィルタを構成することも行われている。しかるに、このタイプの赤外線カットフィルタの赤外線吸収特性は、入射光の角度に依存しないものの、赤外線カットフィルタの厚みに依存する傾向がある。従って、光軸方向の厚みを比較的確保できるデジタルカメラでは採用が容易であるが、携帯端末用カメラモジュールでは、小型化が厳しく要求されており、そのため赤外線カットフィルタも薄くせざるを得ず、十分な吸収特性が得られないという問題がある。
【０００６】
一方、吸収剤を混入させたガラスに、反射膜を施したハイブリッドタイプの赤外線カットフィルタが注目を集めている（特許文献１参照）。図３に示すように、ハイブリッドタイプの赤外線カットフィルタは、角度依存性が少ないので色シェーディングを抑えるのに効果的であるとともに、薄肉にしても十分な赤外線カット機能を有するという利点がある。
【０００７】
しかしながら、ハイブリッドタイプの赤外線カットフィルタは、比較的高価であることに加え、以下に述べる別な問題を有する。ハイブリッドタイプの赤外線カットフィルタは、反射型の赤外線カットフィルタと同様に、ガラスの表面に反射膜を施しているため、図４に示すように、赤外線カットフィルタＩＦに斜めに入射し、角度依存性のために物体側面で反射した光線ＬＢ３が、撮像レンズＬＳのフランジ部ＦＬに再入射し、これが撮像レンズＬＳの内部を透過して物体側面で反射した後、像側面から出射して、より垂直に近い入射角度となることで赤外線カットフィルタＩＦを通過してしまい、これにより撮像素子ＳＮの撮像面ＩＰに不要光として入射したゴーストがしばしば発生する。又、撮像面より外側で結像する光束が反射膜で反射し、同様の経路で撮像面に入射してゴーストを発生させることもある。更に、図５に示すように、撮像素子ＳＮの撮像面ＩＰで反射した光線ＬＢ４が、再度、赤外線カットフィルタＩＦの像側面で反射し、撮像面ＩＰに再入射して発生するゴーストもある。このようなゴーストは、撮像面ＩＰと赤外線カットフィルタＩＦとの間隔が近いほど生じやすく、すなわち薄形化が要求される携帯端末用のカメラモジュールで発生する可能性が高い。
【０００８】
上述した色シェーディングの問題を解消するために、特許文献２では、撮像素子物体側直前に像側に凸面を向けた形状の部材を配置して、かかる部材に赤外線カットコートを施してなる。
【先行技術文献】
【特許文献】
【０００９】
【特許文献１】特開2012-185468号公報
【特許文献２】特開2005-101911号公報
【発明の概要】
【発明が解決しようとする課題】
【００１０】
特許文献２の構成によれば、像側に凸面を向けた形状の部材に赤外線カットコートを施してなるので、撮像素子の撮像面中心に向かう光線と、撮像面周辺に向かう光線の入射角の差を減少させ、これにより反射膜ＩＲＣの角度依存性を克服して、色シェーディングを抑えることができる。ところが、特許文献２の技術では図４、５で説明したゴーストを抑えきれないという問題が残る。
【００１１】
本発明は、このような問題点に鑑みてなされたものであり、小型でありながら、色シェーディングの問題とゴーストの問題とを解消できるカメラモジュール、並びにかかるカメラモジュールを用いた携帯端末を提供することを目的とする。
【課題を解決するための手段】
【００１２】
上記課題を解消するために、請求項１に記載のカメラモジュールは、
被写体像を形成する複数の撮像レンズと、
前記撮像レンズにより形成された被写体像を光電変換する撮像素子と、
前記撮像レンズと前記撮像素子との間に配置された光学素子と、を有するカメラモジュールにおいて、
前記撮像レンズを通過する、撮像面における最大像高の主光線が前記光学素子に入射した際に、その入射位置における前記光学素子の入射面の法線と前記主光線とのなす角をθ１とし、
前記撮像レンズの各々の光学面に対し、各画角の主光線の、その入射位置における前記光学面の法線と当該主光線とのなす角の最大値を各々θ２としたとき、
前記撮像レンズの光学面のうち、θ１＞θ２が成立する光学面のいずれかに赤外線カットコートを形成し、前記光学素子に反射防止コートを形成したことを特徴とする。
【００１３】
また、上記課題を解消するために、請求項２に記載のカメラモジュールは、
被写体像を形成する複数の撮像レンズと、
前記撮像レンズにより形成された被写体像を光電変換する撮像素子と、
前記撮像レンズと前記撮像素子との間に配置された光学素子と、を有するカメラモジュールにおいて、
前記撮像レンズの光軸上を除く有効径内を通過する、撮像面における任意の像高の主光線が、前記光学素子に入射した際に、その入射位置における前記光学素子の入射面の法線と前記主光線とのなす角をθ１とし、
撮像面における同じ像高の主光線が前記撮像レンズの光学面に入射した際に、その入射位置における前記光学面の法線と前記主光線とのなす角をθ２としたとき、
前記撮像レンズの光学面のうち、θ１＞θ２が成立する光学面のいずれかに赤外線カットコートを形成し、前記光学素子に反射防止コートを形成したことを特徴とする。
【００１４】
本発明者は、従来と異なる視点から、色シェーディングの問題とゴーストの問題とを解消できないかを考えた。まず、不要周波数光については、撮像素子の撮像面に入射する前のいずれかの位置でカットすれば足りる。そこで、本発明では、撮像レンズのいずれかの光学面に赤外線カットコートを形成することとした。しかしながら、上述したように、赤外線カットコートには角度依存性がある。ここで、一般的に光学面は曲面であるから、赤外線カットコートを形成する光学面を適切に選択することで、撮像素子の撮像面の中心に向かう光線と、撮像面の周辺に向かう光線とで、入射角を近づけることができ、これにより赤外線カットコートの角度依存性の問題を緩和することができる。例えば、像側に凸の面や物体側に凹の面であると、かかる条件に適合する。赤外線カットコートを形成するのに適切な光学面を一般化すると、
（１）撮像レンズを通過する、撮像面における最大像高の主光線が光学素子に入射した際に、その入射位置における光学素子の入射面の法線と主光線とのなす角をθ１とし、撮像レンズの各々の光学面に対し、光軸近傍〜周辺部までの各画角の主光線の、その入射位置における光学面の法線と当該主光線とのなす角の最大値を各々θ２としたとき、前記撮像レンズの光学面のうち、θ１＞θ２が成立する光学面。
又は、
（２）撮像レンズの光軸上を除く有効径内を通過する、撮像面における任意の像高の主光線が、光学素子に入射した際に、その入射位置における光学素子の入射面の法線と主光線とのなす角をθ１とし、撮像面における同じ像高の主光線が撮像レンズの光学面に入射した際に、その入射位置における光学面の法線と主光線とのなす角をθ２としたとき、θ１＞θ２が成立する光学面。
と定義でき、このような撮像レンズの光学面のいずれかに赤外線カットコートを形成することで、色シェーディングを有効に抑制できる。赤外線カットコートについては、例えば国際公開ＷＯ２００９／１５７３１０号公報に詳細が記載されている。なお、主光線とは、開口絞りの中心を通る各画角の光線のことである。
【００１５】
しかるに、色シェーディングを有効に抑制できても、塵埃等が撮像面に付着することを抑制するために、撮像レンズと撮像素子との間に配置された光学素子からの反射によるゴーストの問題は残る。そこで、本発明では、撮像レンズと撮像素子との間に配置された光学素子に、反射防止コートを形成したのである。これにより、光学素子での反射が抑制されるため、図４、５に示すゴーストが有効に抑制される。また、赤外線カットコートを形成した光学面を、従来よりも撮像素子から遠い位置に配置できるので、その反射光の影響は少ない。本発明では、反射防止コートを形成することで、可視光領域における光学素子の反射率は２％以下に抑えることが好ましい。また、可視光及び赤外光領域において反射率１％以下であれば、より好ましい。反射防止コートは、例えば、誘電体多層膜で形成することができる。
【００１６】
請求項２に記載のカメラモジュールは、請求項１に記載の発明において、前記光学素子は平行平板であることを特徴とする。
【００１７】
光学素子を平行平板とすることで、平板のガラス等を用いることができ、低コストとすることができる。
【００１８】
請求項３に記載のカメラモジュールは、請求項１又は２に記載の発明において、前記赤外線カットコートを形成する前記撮像レンズの光学面は、像側に凸面を向けていることを特徴とする。
【００１９】
像側に凸面を向けた光学面に赤外線カットコートを形成することで、撮像素子の撮像面の中心に向かう光線と、撮像面の周辺に向かう光線との入射角を近づけて、赤外線カットコートの角度依存性を緩和できる。
【００２０】
請求項４に記載のカメラモジュールは、請求項１又は２に記載の発明において、前記赤外線カットコートを形成する前記撮像レンズの光学面は、物体側に凹面を向けていることを特徴とする。
【００２１】
物体側に凹面を向けた光学面に赤外線カットコートを形成することで、撮像素子の撮像面の中心に向かう光線と、撮像面の周辺に向かう光線との入射角を近づけて、赤外線カットコートの角度依存性を緩和できる。
【００２２】
請求項５に記載のカメラモジュールは、請求項１〜４のいずれかに記載の発明において、前記赤外線カットコートを形成する光学面において、光軸上を除く有効径内を通過する任意の像高の主光線の入射位置における前記光学面の法線と、前記主光線とのなす角度が２５度以下であることを特徴とする。
【００２３】
従来の平板の赤外線カットフィルタに入射する主光線のうち、撮像面の最大像高における入射角度は３０度前後であり、今後カメラモジュールの低背化が進むにつれ、この角度は大きくなる可能性もある。赤外線カットコートを形成する光学面において、任意の像高の主光線と、入射位置での光学面の法線とのなす角がすべて２５度以下であれば、赤外線カットコートの角度依存性が大きな問題とならず、色シェーディングを改善することができる。これは、赤外線カットコートの角度依存性が入射角２５度を越えると比較的大きく変化するからであり、２５度以下とするのが望ましい。なお、２０度以下であれば、より望ましい。
【００２４】
請求項６に記載のカメラモジュールは、請求項１〜５のいずれかに記載の発明において、前記光学部材の両面に前記反射防止コートを形成したことを特徴とする。
【００２５】
これにより、光学部材での反射をより抑制でき、これによりゴーストを抑制できる。
【００２６】
請求項７に記載の携帯端末は、請求項１〜６のいずれかに記載のカメラモジュールと、前記カメラモジュールで得られた被写体像を表示する表示部及び／又は前記カメラモジュールで得られた被写体像を送信する無線通信部と、を有することを特徴とする。
【発明の効果】
【００２７】
本発明によれば、小型でありながら、色シェーディングの問題とゴーストの問題とを解消できるカメラモジュール、並びにかかるカメラモジュールを用いた携帯端末を提供することができる。
【図面の簡単な説明】
【００２８】
【図１】赤外線カットコートが形成された平行平板内を、撮像素子１１の撮像面１１ａの中心に向かう光線と、撮像面１１ａの周辺に向かう光線とが通過する状態を示す図である。
【図２】一般的な赤外線カットフィルタの角度依存特性を示すグラフである。
【図３】ハイブリッドタイプの赤外線カットフィルタの角度依存特性を示すグラフである。
【図４】ゴーストの原因の一例を示す図である。
【図５】ゴーストの原因の一例を示す図である。
【図６】本実施の形態にかかるカメラモジュール１０の光軸に沿った断面図である。
【図７】カメラモジュールを搭載したスマートフォンの正面図（ａ）、及びカメラモジュールを適用したスマートフォンの背面図（ｂ）である。
【図８】図７のスマートフォンの制御ブロック図である。
【発明を実施するための形態】
【００２９】
以下、本発明の実施の形態を、図面を参照して説明する。図６は、本実施の形態にかかるカメラモジュール１０の断面図である。なお、以下に示す構成は概略図であり、形状や寸法等は実際と異なるものがある。
【００３０】
図６に示すように、カメラモジュール１０は、光電変換部（撮像面）１１ａを備えた固体撮像素子としてのＣＭＯＳ型撮像素子１１と、この撮像素子１１の光電変換部１１ａに被写体像を形成する撮像レンズ１２と、撮像レンズ１２を保持する鏡筒１３と、撮像レンズ１２と撮像素子１１の間に配置された平行平板状の光学素子１４と、撮像レンズ１２を駆動するアクチュエータ１５と、撮像素子１１を実装した回路基板１６と、撮像レンズ１２及びアクチュエータ１５を保持する台座部材１７とを有する。
【００３１】
図６に示すように、撮像素子１１は、ウェハチップ１１ｂ上に複数の受光画素（光電変換素子）が２次元的に配置された、撮像面としての光電変換部１１ａが形成されており、その周囲には信号処理回路（不図示）が形成されている。かかる信号処理回路は、各画素を順次駆動し出力信号を得る駆動回路部と、各出力信号をデジタル信号に変換するＡ／Ｄ変換部と、このデジタル信号を用いて画像信号出力を形成する信号処理部等から構成されている。
【００３２】
また、撮像素子１１のウェハチップ１１ｂにおける受光面側の外縁近傍に形成された複数のパッド（不図示）は、ワイヤ１１ｃにより回路基板１６に接続されている。
【００３３】
樹脂により一体成形された台座部材１７は、全体的に直方体の筐体状であり、撮像素子１１を囲うように設けられた４つの側壁部１７ａと、その上端に交差する上壁部１７ｂとを有する。上壁部１７ｂの中央には、矩形状の開口１７ｃが形成されており、かかる開口１７ｃを覆うようにして上壁部１７ｂに光学フィルタ１４が取り付けられている。
【００３４】
撮像素子１１は、光電変換部１１ａからの出力信号をデジタルＹＵＶ信号等の画像信号等に変換し、ワイヤ１１ｃから回路基板１６の配線パターンを介して、不図示の外部回路（例えば、カメラモジュールを実装した上位装置が有する制御回路）へと送信するようになっている。又、回路基板１６の配線パターンからワイヤ１１ｃを介して、外部回路から撮像素子１１を駆動するための電力やクロック信号の供給を受けることもできる。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００３５】
図６において、鏡筒１３の内部には、撮像レンズ１２が設けられている。撮像レンズ１２は、物体側から順に配置された、第１レンズＬ１、第２レンズＬ２、第３レンズＬ３、第４レンズＬ４からなり、それぞれ有効径外の光束を遮蔽する遮光板を介在させつつフランジ部をつきあわせて組み立てられている。なお、本例では開口絞りは、鏡筒１３に形成されている第１レンズＬ１の物体側の開口部が相当する。
【００３６】
赤外線カットコートＩＲＣを形成する光学面は以下のような条件に基づき決められている。撮像レンズ１２を通過する、撮像面における最大像高の主光線ＬＢが光学素子１４に入射した際に、その入射位置における光学素子１４の入射面１４ａの法線ＮＬ１と主光線とのなす角をθ１とし、撮像レンズの光学面Ｌ１ａ、Ｌ１ｂ、Ｌ２ａ、Ｌ２ｂ、Ｌ３ａ、Ｌ３ｂ、Ｌ４ａ、Ｌ４ｂの各々に対し、それぞれ各画角の主光線の、その入射位置における光学面の法線ＮＬ２と当該主光線とのなす角のうち最大値を各々θ２としたとき、撮像レンズ１２の光学面のうち、θ１＞θ２が成立する光学面に、赤外線カットコートＩＲＣが形成されている。θ２は２５度以下であると好ましく、２０度以下であるとより好ましい。本例においては具体的には、第３レンズＬ３の像側に凸面を向けた像側面Ｌ３ａが最も好ましい対象となるが、物体側に凹面を向けた物体側面Ｌ３ｂ、或いは、第１レンズＬ１の像側に凸面を向けた像側面Ｌ１ａに、赤外線カットコートＩＲＣが形成されていてもよい。
【００３７】
また、以下のような条件に基づき赤外線カットコートＩＲＣを形成する光学面を決めてもよい。撮像レンズ１２の光軸Ｏ上を除く有効径内を通過する、撮像面における任意の像高の主光線ＬＢが、光学素子１４に入射した際に、その入射位置における光学素子１４の入射面１４ａの法線ＮＬ１と、主光線ＬＢとのなす角をθ１とし、撮像面における同じ像高の主光線ＬＢが撮像レンズ１２の光学面に入射した際に、その入射位置における光学面の法線ＮＬ２と主光線ＬＢとのなす角をθ２としたときに、θ１＞θ２が成立する撮像レンズ１２の光学面に、赤外線カットコートＩＲＣを形成する。θ２は２５度以下であると好ましく、２０度以下であるとより好ましい。本例においては具体的には、第３レンズＬ３の像側に凸面を向けた像側面Ｌ３ａが最も好ましい対象となるが、物体側に凹面を向けた物体側面Ｌ３ｂ、或いは、第１レンズＬ１の像側に凸面を向けた像側面Ｌ１ａに、赤外線カットコートＩＲＣを形成しても良い。
【００３８】
また、赤外線カットコートＩＲＣを形成するレンズは、製造過程での耐熱性を考慮しガラス製であると、より好ましい。
【００３９】
更に、撮像レンズ１２と撮像素子１１との間に配置された光学素子１４には、反射防止コートが形成されている。これにより、光学素子１４での反射が抑制されるため、図４、５に示すゴーストが有効に抑制できる。なお、反射防止コートは両面に施されていることが好ましい。
【００４０】
アクチュエータ１５は、鏡筒１３にねじ込まれた筒状のキャリヤ１５ａと、キャリヤ１５ａに取り付けられ光軸方向に延在するコイル１５ｂと、コイル１５ｂに対抗して配置された磁石１５ｃと、磁石１５ｃを支持した筐体状のヨーク１５ｄとからなっている。コイル１５ｂは、不図示の配線を介して外部回路に接続されている。ヨーク１５ｄの下端は、台座部材１７の上壁部１７ｂ上に接着されている。また、キャリヤ１５ａは不図示の弾性部材により撮像素子１１方向に付勢されている。
【００４１】
本実施の形態によれば、被写体光中に含まれる赤外光などの不要周波数光については、撮像レンズ１２の第３レンズＬ３の像側面１３ａに赤外線カットコートＩＲＣを形成することによりカットしている。第３レンズＬ３の像側面１３ａは、像側に凸面を向けているので、撮像素子１１の撮像面１１ａの中心や、その近傍に向かう光線と、撮像面１１ａの周辺に向かう光線とで、入射角の差及び入射角自体の値が小さくなり、従って赤外線カットコートの角度依存性を克服して、色シェーディングを有効に抑制できる。また、赤外線カットコートＩＲＣを形成した光学面は、従来よりも撮像素子から遠い位置に配置されることになるので、赤外線カットコートＩＲＣを形成した光学面で発生する反射光の撮像素子への影響を少なくできる。更に、撮像レンズ１２と撮像素子１１との間に配置された光学素子１４には、反射防止コートが形成されているので、光学素子１４での反射が抑制され、これらにより、小型でありながら、色シェーディングの問題とゴーストの問題とを解消したカメラモジュールを得ることができる。
【００４２】
更に、本実施の形態では、撮像レンズ１２と撮像素子１１との間に、反射防止コートＡＲＣを形成した光学素子１４を配置したので、光学素子１４での反射が抑制されるため、ゴーストが有効に抑制される。又、光学素子１４で撮像素子１１を覆うことで、塵埃等が撮像面に付着することを抑制できる。
【００４３】
なお、本例では、４枚構成の撮像レンズで説明しているが、これに限るものでないのはもちろんである。
【００４４】
上述したカメラモジュール１０の動作について説明する。図７は、カメラモジュール１０を携帯端末の一例であるスマートフォン１００に装備した状態を示す。また、図８はスマートフォン１００の制御ブロック図である。
【００４５】
カメラモジュール１０は、例えば、鏡筒１３の物体側端面がスマートフォン１００の背面（図７（ｂ）参照）に設けられ、スマートフォン１００の表面側には液晶表示部が配設されている。
【００４６】
カメラモジュール１０は、外部接続端子（図７では矢印）を介して、スマートフォン１００の制御部１０１と接続され、輝度信号や色差信号等の画像信号を制御部１０１側に出力する。
【００４７】
一方、スマートフォン１００は、図８に示すように、各部を統括的に制御すると共に、各処理に応じたプログラムを実行する制御部（ＣＰＵ）１０１と、電源等のスイッチ及び番号等をタッチパッドにより指示入力するための入力部６０と、所定のデータの他に撮像した映像等を液晶パネルで表示する表示部６５（但し、表示部の液晶パネルと入力部のタッチパッドはタッチパネル７０が兼用する）と、外部サーバとの間の各種情報通信を実現するための無線通信部８０と、スマートフォン１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いはカメラモジュール１０により得られた撮像データ等を一時的に格納する作業領域として用いられる及び一時記憶部（ＲＡＭ）９２とを備えている。
【００４８】
カメラモジュール１０は、スマートフォン１００の入力部６０の操作によって動作させられ、アクチュエータ１５により撮像レンズ１２を駆動してオートフォーカス動作を行い、レリーズボタン７１等を押圧することで、カメラモジュール１０を動作させて撮像を行うことができる。カメラモジュール１０から入力された画像信号は、上記スマートフォン１００の制御系により、記憶部９１や一時記憶部９２に記憶されたり、或いは表示部６５に表示され、さらには、無線通信部８０を介して映像情報として外部に送信される。
【００４９】
本発明は、明細書に記載の実施例に限定されるものではなく、他の実施例・変形例を含むことは、本明細書に記載された実施例や思想から本分野の当業者にとって明らかである。
【符号の説明】
【００５０】
１０            カメラモジュール
１１            撮像素子
１１ａ            光電変換部
１１ｂ            ウェハチップ
１１ｃ            ワイヤ
１２            撮像レンズ
１３            鏡筒
１４            光学素子
１５            アクチュエータ
１５ａ            キャリヤ
１５ｂ            コイル
１５ｃ            磁石
１５ｄ            ヨーク
１６            回路基板
１７            台座部材
１７ａ            側壁部
１７ｂ            上壁部
１７ｃ            開口
６０            入力キー部
６５            表示部
７０            タッチパネル
７１            レリーズボタン
８０            無線通信部
９２            記憶部
１００            スマートフォン
１０１            制御部
Ｌ１〜Ｌ４        撮像レンズ
ＩＲＣ  赤外線カットコート
ＡＲＣ  反射防止コート
【図１】
2014191032.tif 000003
【図２】
2014191032.tif 000004
【図３】
2014191032.tif 000005
【図４】
2014191032.tif 000006
【図５】
2014191032.tif 000007
【図６】
2014191032.tif 000008
【図７】
2014191032.tif 000009
【図８】
2014191032.tif 000010